【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する通信システムであって、
前記ユーザシステムは、
前記管理センタに対し、電子機器の種類及び運用形態を表す情報と、当該電子機器に対し前記通信ネットワークから割り当てられた加入者情報とを含む運用スケジュールデータの更新要求を送信する更新要求送信手段と、
前記更新要求送信手段による更新要求の送出に対し前記管理センタから配信された運用スケジュールデータの更新制御情報を受信する更新制御情報受信手段と、
この更新制御情報受信手段により受信された更新制御情報に基づいて、前記電子機器の運用スケジュールデータを更新する更新制御手段とを具備し、
前記管理センタは、
前記ユーザシステムから通信ネットワークを介して運用スケジュールデータの更新要求が到来した場合に、この更新要求に含まれる電子機器の種類及び運用形態を表す情報に基づいて前記運用スケジュールデータの更新制御情報を作成する作成手段と、
前記更新要求に含まれる加入者情報をもとに要求元のユーザシステムの電子機器に対しアクセスし、前記作成手段により作成された更新制御情報を通信ネットワークを介して送信する更新制御情報送信手段を備えたことを特徴とする通信システム。
【請求項２】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新するもので、かつ前記ユーザシステムに予め付与した個別識別情報に対応付けて、少なくともその電子機器に対し前記通信ネットワークから割り当てられた加入者情報、電子機器の種類及び運用形態を表す情報をそれぞれ格納したユーザデータベースを備えた通信システムであって、
前記管理センタは、
日時を計時する計時手段と、
この計時手段による計時結果に基づいて、前記運用スケジュールデータが更新されたか否かを判定する更新判定手段と、
この更新判定手段により前記運用スケジュールデータが更新されたと判定された場合に、前記ユーザデータベースから前記ユーザシステムに対応する電子機器の加入者情報、電子機器の種類及び運用形態を表す情報をそれぞれ読み出すユーザ情報読み出し手段と、
このユーザ情報読み出し手段により前記ユーザデータベースから読み出された電子機器の種類及び運用形態を表す情報に基づいて前記運用スケジュールデータの更新制御情報を作成する作成手段と、
前記ユーザデータベースから読み出した電子機器の加入者情報をもとに該当する電子機器に対し前記通信ネットワークを介してアクセスし、前記作成手段により作成された更新制御情報を送信する更新制御情報送信手段とを具備し、
前記ユーザシステムは、
前記管理センタから配信された更新制御情報を受信する更新制御情報受信手段と、
この更新制御情報受信手段により受信された更新制御情報に基づいて、前記電子機器の運用スケジュールデータを更新する更新制御手段とを具備したことを特徴とする通信システム。
【請求項３】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する、通信システムを利用した運用スケジュールデータ更新方法であって、
前記ユーザシステムから前記管理センタに対し、電子機器の種類及び運用形態を表す情報と、当該電子機器に対し前記通信ネットワークから割り当てられた加入者情報とを含む前記運用スケジュールデータの更新要求を送信する第１の過程と、
前記管理センタにおいて、前記ユーザシステムから到来した更新要求に含まれる電子機器の種類及び運用形態を表す情報に基づいて前記運用スケジュールデータの更新制御情報を作成し、前記更新要求に含まれる加入者情報をもとに要求元の電子機器に対し前記通信ネットワークを介してアクセスし、前記更新制御情報を前記電子機器に送信する第２の過程と、
前記ユーザシステムにおいて、前記管理センタから送信された更新制御情報をもとに前記電子機器の運用スケジュールデータの更新を行なう第３の過程とを具備したことを特徴とする運用スケジュールデータ更新方法。
【請求項４】
所定周期の日時による運用スケジュールデータに基づいて所定の制御処理を行なう電子機器を備えるユーザシステムと、当該電子機器の運用管理業務を行ない、かつ日時を計時するタイマを備える管理センタとの間を通信ネットワークを介して接続され、前記管理センタから前記ユーザシステムに対し前記電子機器の運用スケジュールデータを更新するもので、
かつ前記ユーザシステムに予め付与した個別識別情報に対応付けて、少なくともその電子機器に対し前記通信ネットワークから割り当てられた加入者情報、電子機器の種類及び運用形態を表す情報をそれぞれ格納したユーザデータベースを備えた通信システムを利用した運用スケジュールデータ更新方法であって、
前記管理センタにおいて、前記タイマによる計時結果に基づいて、前記運用スケジュールデータが更新されたか否かを判定する第１の過程と、
前記判定結果により運用スケジュールデータが更新された場合に、前記ユーザデータベースから前記ユーザシステムに対応する電子機器の加入者情報、電子機器の種類及び運用形態を表す情報をそれぞれ読み出す第２の過程と、
前記ユーザデータベースから読み出した電子機器の種類及び運用形態を表す情報に基づいて運用スケジュールデータの更新制御情報を作成し、前記ユーザデータベースから読み出した電子機器の加入者情報をもとに前記管理センタから該当する電子機器に対し前記通信ネットワークを介してアクセスして前記更新制御情報を送信する第３の過程と、
前記ユーザシステムにおいて、前記管理センタから送信された更新制御情報をもとに前記電子機器の運用スケジュールデータの更新を行なう第４の過程とを具備したことを特徴とする運用スケジュールデータ更新方法。
【請求項５】
所定周期の日時による運用スケジュールデータに基づいて所定の制御処理を行なう電子機器を備えるユーザシステムに対し通信ネットワークを介して接続され、前記ユーザシステムに対し前記通信ネットワークを通じて前記電子機器の運用スケジュールデータの更新を行なう管理センタであって、
前記ユーザシステムから送信された、電子機器の種類及び運用形態を表す情報と、当該電子機器に対し前記通信ネットワークから割り当てられた加入者情報とを含む前記運用スケジュールデータの更新要求を受信する更新要求受信手段と、
この更新要求受信手段により受信された更新要求に含まれる電子機器の種類及び運用形態を表す情報に基づいて運用スケジュールデータの更新制御情報を作成する作成手段と、
前記更新要求に含まれる加入者情報に基づいて、該当する電子機器に対し前記通信ネットワークを介してアクセスし、前記作成手段により作成された更新制御情報を電子機器に送信する更新制御情報送信手段とを具備し、
前記ユーザシステムにて、前記更新制御情報に基づく電子機器の運用スケジュールデータの更新処理を行なわせるようにしたことを特徴とする管理センタ。
【請求項６】
所定周期の日時による運用スケジュールデータに基づいて所定の制御処理を行なう電子機器を備えるユーザシステムに対し通信ネットワークを介して接続され、前記ユーザシステムに対し前記通信ネットワークを通じて前記電子機器の運用スケジュールデータの更新を行なう管理センタであって、
前記ユーザシステムに予め付与した個別識別情報に対応付けて、少なくともその電子機器に対し前記通信ネットワークから割り当てられた加入者情報、電子機器の種類及び運用形態を表す情報をそれぞれ格納したユーザデータベースと、
日時を計時する計時手段と、
この計時手段による計時結果に基づいて、前記運用スケジュールデータが更新されたか否かを判定する更新判定手段と、
この更新判定手段により前記運用スケジュールデータが更新されたと判定された場合に、前記ユーザデータベースから前記ユーザシステムに対応する電子機器の加入者情報、電子機器の種類及び運用形態を表す情報をそれぞれ読み出すユーザ情報読み出し手段と、
このユーザ情報読み出し手段により前記ユーザデータベースから読み出された電子機器の種類及び運用形態を表す情報に基づいて前記運用スケジュールデータの更新制御情報を作成する作成手段と、
前記ユーザデータベースから読み出した電子機器の加入者情報をもとに該当する電子機器に対し前記通信ネットワークを介してアクセスして前記作成手段により作成された更新制御情報を送信する更新制御情報送信手段とを具備し、
前記ユーザシステムにて、前記更新制御情報に基づく電子機器の運用スケジュールデータの更新処理を行なわせるようにしたことを特徴とする管理センタ。
【請求項７】
前記更新制御情報送信手段は、前記更新制御情報の送信に先立ち、前記電子機器に予め付与された機器識別情報を取得し、この取得した機器識別情報を用いて更新制御情報を暗号化し、この暗号化された更新制御情報を当該電子機器に送信することを特徴とする請求項５または６記載の管理センタ。
【請求項８】
所定周期の日時による運用スケジュールデータに基づいて所定の制御処理を行なう電子機器を備え、前記請求項５記載の管理センタに対し通信ネットワークを介して接続されるユーザシステムであって、
前記管理センタに対し、電子機器の種類及び運用形態を表す情報と、当該電子機器に対し前記通信ネットワークから割り当てられた加入者情報とを含む運用スケジュールデータの更新要求を送信する更新要求送信手段と、
前記更新要求送信手段による更新要求の送出に対し前記管理センタから配信された運用スケジュールデータの更新制御情報を受信する更新制御情報受信手段と、
この更新制御情報受信手段により受信された更新制御情報に基づいて、前記電子機器の運用スケジュールデータを更新する更新制御手段とを具備したことを特徴とするユーザシステム。
【請求項９】
所定周期の日時による運用スケジュールデータに基づいて所定の制御処理を行なう電子機器を備え、前記請求項６記載の管理センタに対し通信ネットワークを介して接続されるユーザシステムであって、
前記管理センタから配信された更新制御情報を受信する更新制御情報受信手段と、
この更新制御情報受信手段により受信された更新制御情報に基づいて、前記電子機器の運用スケジュールデータを更新する更新制御手段とを具備したことを特徴とするユーザシステム。
【請求項１０】
前記電子機器は、運用スケジュールデータ中のすべての日時の少なくとも一部について平日運用形態／休日運用形態を表す設定情報を記憶した運用スケジュールテーブルを備え、
前記更新制御手段は、前記更新制御情報受信手段により受信された更新制御情報の内容に応じて、前記運用スケジュールテーブル中の該当する日時の設定情報を変更することにより、前記運用スケジュールデータの更新を行なうことを特徴とする請求項８または９記載のユーザシステム。
【請求項１１】
前記更新制御情報受信手段は、受信する前記更新制御情報が電子機器に予め付与された機器識別情報により暗号化されている場合に、前記機器識別情報を用いて復号することを特徴とする請求項８または９記載のユーザシステム。
【請求項１２】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する通信システムの管理センタで使用される運用スケジュールデータ更新制御プログラムであって、
前記ユーザシステムから送信された、電子機器の種類及び運用形態を表す情報と、当該電子機器に対し前記通信ネットワークから割り当てられた加入者情報とを含む前記運用スケジュールデータの更新要求を受信する第１のステップと、
この第１のステップにより受信された更新要求に含まれる電子機器の種類及び運用形態を表す情報に基づいて運用スケジュールデータの更新制御情報を作成する第２のステップと、
前記更新要求に含まれる加入者情報に基づいて、該当する電子機器に対し前記通信ネットワークを介してアクセスし、前記第２のステップにより作成された更新制御情報を電子機器に送信する第３のステップとを具備したことを特徴とする運用スケジュールデータ更新制御プログラム。
【請求項１３】
所定周期の日時による運用スケジュールデータに基づいて所定の制御処理を行なう電子機器を備えるユーザシステムと、当該電子機器の運用管理業務を行ない、かつ日時を計時するタイマを備える管理センタとの間を通信ネットワークを介して接続され、前記管理センタから前記ユーザシステムに対し前記電子機器の運用スケジュールデータを更新するもので、
かつ前記ユーザシステムに予め付与した個別識別情報に対応付けて、少なくともその電子機器に対し前記通信ネットワークから割り当てられた加入者情報、電子機器の種類及び運用形態を表す情報をそれぞれ格納したユーザデータベースを備えた通信システムの管理センタで使用される運用スケジュールデータ更新制御プログラムであって、
前記タイマによる計時結果に基づいて、前記運用スケジュールデータが更新されたか否かを判定する第１のステップと、
この第１のステップにより前記運用スケジュールデータが更新されたと判定された場合に、前記ユーザデータベースから前記ユーザシステムに対応する電子機器の加入者情報、電子機器の種類及び運用形態を表す情報をそれぞれ読み出す第２のステップと、
この第２のステップにより前記ユーザデータベースから読み出された電子機器の種類及び運用形態を表す情報に基づいて前記運用スケジュールデータの更新制御情報を作成する第３のステップと、
前記ユーザデータベースから読み出した電子機器の加入者情報をもとに該当する電子機器に対し前記通信ネットワークを介してアクセスして前記第３のステップにより作成された更新制御情報を送信する第４のステップとを具備したことを特徴とする運用スケジュールデータ更新制御プログラム。
【請求項１４】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する通信システムであって、
前記センタ装置とユーザシステムとの間で、前記運用スケジュールデータの更新を行なうために必要な制御情報を通信する制御情報通信手段と、
この更新制御情報通信手段により通信される制御情報に基づいて、前記電子機器の運用スケジュールデータを更新する更新制御手段とを具備したことを特徴とする通信システム。
【請求項１５】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する、通信システムを利用した運用スケジュールデータ更新方法であって、
前記センタ装置とユーザシステムとの間で、前記運用スケジュールデータの更新を行なうために必要な制御情報を通信する第１の過程と、
この第１の過程により通信される制御情報に基づいて、前記電子機器の運用スケジュールデータを更新する第２の過程とを具備したことを特徴とする運用スケジュールデータ更新方法。
【請求項１６】
所定周期の日時による運用スケジュールデータに基づいて所定の制御処理を行なう電子機器を備えるユーザシステムと、当該電子機器の運用管理業務を行なう管理センタとの間を通信ネットワークを介して接続され、前記管理センタから前記ユーザシステムに対し前記電子機器の運用スケジュールデータを更新する通信システムの管理センタで使用される運用スケジュールデータ更新制御プログラムであって、
前記センタ装置とユーザシステムとの間で、前記運用スケジュールデータの更新を行なうために必要な制御情報を通信する第１のステップと、
この第１の過程により通信される制御情報に基づいて、前記電子機器の運用スケジュールデータを更新する第２のステップとを具備したことを特徴とする運用スケジュールデータ更新制御プログラム。